【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
システムバスを介してアクセス可能であるシステムメモリの少なくとも一部分に格納された画像が静止画像であるか又は非静止画像であるかを決定することと、
グラフィックス処理ユニット（ＧＰＵ）を用いて、前記画像が前記静止画像であると決定されたときに前記システムバスを介して前記システムメモリの前記一部分から前記静止画像を取り出すことと、
前記ＧＰＵを用いて、ローカルメモリ内の利用可能な格納スペースの量に基づいて前記静止画像をスケーリングして前記静止画像の空間解像度が低下されたバージョンを生成することと、
前記ＧＰＵを用いかつ前記システムバスを使用せずに、前記静止画像の前記空間解像度が低下されたバージョンを前記システムメモリの外部に存在する前記ＧＰＵの前記ローカルメモリに格納することと、
ディスプレイに結合された表示プロセッサを用いかつ前記システムバスを使用せずに前記静止画像の前記空間解像度が低下されたバージョンを前記ローカルメモリから取り出すことと、
前記表示プロセッサを用いて、前記静止画像の前記空間解像度が低下されたバージョンを再スケーリングして再スケーリングされた画像を生成することと、
前記表示プロセッサを用いて、前記再スケーリングされた画像を提示のために前記ディスプレイに出力することと、
前記画像が前記非静止画像であると決定されたときに、前記ディスプレイ上での提示のために前記システムバスを介して前記システムメモリの前記一部分から前記非静止画像を、前記表示プロセッサを用いて、取り出すことと、
を備える、方法。
【請求項２】
前記ローカルメモリは、前記ＧＰＵのオンチップメモリを備える請求項１に記載の方法。
【請求項３】
前記画像が前記非静止画像であると決定されたときに、第１のリフレッシュレートで前記ディスプレイ上での提示のために前記システムバスを介して前記システムメモリの前記一部分から前記非静止画像を繰り返し取り出すことをさらに備え、
前記再スケーリングされた画像を出力することは、前記第１のリフレッシュレートよりも低い第２のリフレッシュレートで前記再スケーリングされた画像を繰り返し出力することを備える請求項１に記載の方法。
【請求項４】
前記システムメモリの前記一部分に格納された前記画像が前記静止画像であるか又は前記非静止画像であるかを決定することは、前記画像を格納する前記システムメモリの前記一部分が定義された時間内に新しいコンテンツを受け取らないときに前記画像は前記静止画像であると決定することを備える請求項１に記載の方法。
【請求項５】
アンビエント照明の変化、前記ＧＰＵと前記表示プロセッサとを含むデバイスの方位の変化、又は前記デバイスと他のデバイスとの間の接続の変化が存在するかどうかを決定することをさらに備え、
前記画像が前記静止画像であると決定することは、前記画像を格納する前記システムメモリの前記一部分が前記定義された時間で新しいコンテンツを受け取らないときで、前記定義された時間内に前記アンビエント照明、前記デバイスの前記方位、又は前記デバイスと前記他のデバイスとの間の前記接続の変化が存在しないときに前記画像は静止画像であると決定することを備える請求項４に記載の方法。
【請求項６】
前記再スケーリングされた画像を出力するときに前記ディスプレイの照度を低下させることをさらに備える請求項１に記載の方法。
【請求項７】
前記静止画像をスケーリングすることは、前記ＧＰＵのシェーダを用いて前記静止画像をスケーリングして前記静止画像の空間解像度が前記低下されたバージョンを生成することを備える請求項１に記載の方法。
【請求項８】
前記再スケーリングされた画像の明瞭度が、前記画像の明瞭度よりも低い、請求項１に記載の方法。
【請求項９】
ディスプレイと、
システムバスと、
前記システムバスを介してアクセス可能であるシステムメモリと、
前記システムメモリの外部に存在するローカルメモリと、
前記システムメモリの少なくとも一部分に格納された画像が静止画像であるか又は非静止画像であるかを決定するように構成された１つ以上の処理ユニットと、
前記画像が前記静止画像であると決定されたときに前記システムバスを介して前記システムメモリの前記一部分から前記静止画像を取り出し、
前記ローカルメモリ内の利用可能な格納スペースの量に基づいて前記静止画像をスケーリングして前記静止画像の空間解像度が低下されたバージョンを生成し、及び
前記システムバスを使用せずに前記静止画像の前記空間解像度が低下されたバージョンを前記ローカルメモリに格納するように構成されたグラフィックス処理ユニット（ＧＰＵ）と、
前記システムバスを使用せずに前記静止画像の前記空間解像度が低下されたバージョンを前記ローカルメモリから取り出し、
前記静止画像の前記空間解像度が低下されたバージョンを再スケーリングして再スケーリングされた画像を生成し、及び
前記再スケーリングされた画像を提示のために前記ディスプレイに出力するように構成された表示プロセッサと、を備え、
前記表示プロセッサは、前記ディスプレイ上での提示のために前記システムバスを介して前記システムメモリの前記一部分から前記非静止画像を取り出すように構成された、
装置。
【請求項１０】
前記ローカルメモリは、前記ＧＰＵのオンチップメモリを備える請求項９に記載の装置。
【請求項１１】
前記表示プロセッサは、前記画像が前記非静止画像であると決定されたときに第１のリフレッシュレートで前記ディスプレイでの提示のために前記システムバスを介して前記システムメモリの前記一部分から前記非静止画像を繰り返し取り出し、前記表示プロセッサは、前記第１のリフレッシュレートよりも低い第２のリフレッシュレートで前記再スケーリングされた画像を繰り返し出力する請求項９に記載の装置。
【請求項１２】
前記１つ以上の処理ユニットは、前記画像を格納する前記システムメモリの前記一部分が定義された時間内に新しいコンテンツを受け取らない時に前記画像は前記静止画像であると決定する請求項９に記載の装置。
【請求項１３】
前記１つ以上の処理ユニットは、アンビエント照明の変化、前記装置の方位の変化、又は前記装置と他のデバイスとの間の接続の変化が存在するかどうかを決定し、前記１つ以上の処理ユニットは、前記画像を格納する前記システムメモリの前記一部分が定義された時間内に新しいコンテンツを受け取らないときで、前記定義された時間内に前記アンビエント照明の変化、前記装置の前記方位の変化、又は前記装置と前記他のデバイスとの間の前記接続の変化が存在しないときに前記画像が前記静止画像であると決定する請求項１２に記載の装置。
【請求項１４】
前記表示プロセッサは、前記表示プロセッサが前記再スケーリングされた画像を出力するときに前記ディスプレイの照度を低下させる請求項９に記載の装置。
【請求項１５】
前記ＧＰＵは、シェーダをさらに備え、前記シェーダは、前記静止画像をスケーリングして前記静止画像の前記空間解像度が低下されたバージョンを生成する請求項９に記載の装置。
【請求項１６】
前記再スケーリングされた画像の明瞭度が、前記画像の明瞭度よりも低い、請求項９に記載の装置。
【請求項１７】
前記装置は、テレビ、デスクトップコンピュータ、ラップトップコンピュータ、電子書籍リーダー、メディアプレーヤー、タブレットコンピューティングデバイス、モバイル受信デバイス、パーソナルデジタルアシスタント（ＰＤＡ）、ビデオゲームコンソール、モバイル会議ユニット、モバイルコンピューティングデバイス、及び無線ハンドセットのうちの少なくとも１つを備える請求項９に記載の装置。
【請求項１８】
ディスプレイと
システムバスと、
前記システムバスを介してアクセス可能であるシステムメモリと、
前記システムメモリの外部に存在するローカルメモリと、
前記システムメモリの少なくとも一部分に格納された画像が静止画像であるか又は非静止画像であるかを決定するため手段と、
前記画像が前記静止画像であると決定されたときに前記システムバスを介して前記システムメモリの前記一部分から前記静止画像を取り出すための手段と、
前記ローカルメモリ内の利用可能な格納スペースの量に基づいて前記静止画像をスケーリングして前記静止画像の空間解像度が低下されたバージョンを生成するための手段と、
前記システムバスを使用せずに前記静止画像の前記空間解像度が低下されたバージョンをグラフィックス処理ユニット（ＧＰＵ）のローカルメモリに格納するための手段と、を備える前記ＧＰＵと、
前記システムバスを使用せずに前記静止画像の前記空間解像度が低下されたバージョンを前記ローカルメモリから取り出すための手段と、
前記静止画像の前記空間解像度が低下されたバージョンを再スケーリングして再スケーリングされた画像を生成するための手段と、
前記再スケーリングされた画像を提示のために前記ディスプレイに出力するための手段と、
前記画像が前記非静止画像であると決定されたときに、前記ディスプレイ上での提示のために前記システムバスを介して前記システムメモリの前記一部分から前記非静止画像を取り出すための手段と、
を備える表示プロセッサと、を備える、装置。
【請求項１９】
前記ローカルメモリは、前記ＧＰＵのオンチップメモリを備える請求項１８に記載の装置。
【請求項２０】
前記画像が前記非静止画像であると決定されたときに、第１のリフレッシュレートで前記ディスプレイ上での提示のために前記システムバスを介して前記システムメモリの前記一部分から前記非静止画像を繰り返し取り出すための手段をさらに備え、
前記再スケーリングされた画像を出力するための前記手段は、前記第１のリフレッシュレートよりも低い第２のリフレッシュレートで前記再スケーリングされた画像を繰り返し出力するための手段を備える請求項１８に記載の装置。
【請求項２１】
前記システムメモリの前記一部分に格納された前記画像が前記静止画像であるか又は前記非静止画像であるかを決定するための前記手段は、前記画像を格納する前記システムメモリの前記一部分が定義された時間内に新しいコンテンツを受け取らないときに前記画像は前記静止画像であると決定するための手段を備える請求項１８に記載の装置。
【請求項２２】
アンビエント照明の変化、前記装置の方位の変化、又は前記装置と他のデバイスとの間の接続の変化が存在するかどうかを決定するための手段をさらに備え、
前記画像が前記静止画像であると決定するための前記手段は、前記画像を格納する前記システムメモリの前記一部分が前記定義された時間で新しいコンテンツを受け取らないときで、前記定義された時間内に前記アンビエント照明の変化、前記装置の前記方位の変化、又は前記装置と前記他のデバイスとの間の前記接続の変化が存在しないときに前記画像が前記静止画像であると決定するための手段を備える請求項２１に記載の装置。
【請求項２３】
前記表示プロセッサは、出力するための前記手段が前記再スケーリングされた画像を出力するときに前記ディスプレイの照度を低下させるための手段をさらに備える請求項１８に記載の装置。
【請求項２４】
前記静止画像をスケーリングするための前記手段は、前記ＧＰＵのシェーダを用いて前記静止画像をスケーリングして前記静止画像の前記空間解像度が低下されたバージョンを生成するための手段を備える請求項１８に記載の装置。
【請求項２５】
前記再スケーリングされた画像の明瞭度が、前記画像の明瞭度よりも低い、請求項１８に記載の装置。
【請求項２６】
前記装置は、テレビ、デスクトップコンピュータ、ラップトップコンピュータ、電子書籍リーダー、メディアプレーヤー、タブレットコンピューティングデバイス、モバイル受信デバイス、パーソナルデジタルアシスタント（ＰＤＡ）、ビデオゲームコンソール、モバイル会議ユニット、モバイルコンピューティングデバイス、及び無線ハンドセットのうちの少なくとも１つを備える請求項１８に記載の装置。
【請求項２７】
システムバスを介してアクセス可能であるシステムメモリの少なくとも一部分に格納された画像が静止画像であるか又は非静止画像であるかを決定し、
グラフィックス処理ユニット（ＧＰＵ）を用いて、前記画像が前記静止画像であると決定されたときに前記システムバスを介して前記システムメモリの前記一部分から前記静止画像を取り出し、
ローカルメモリ内の利用可能な格納スペースの量に基づいて前記ＧＰＵを用いて、前記静止画像をスケーリングして前記静止画像の空間解像度が低下されたバージョンを生成し、
前記ＧＰＵを用いてかつ前記システムバスを使用せずに、前記静止画像の前記空間解像度が低下されたバージョンを前記システムメモリの外部に存在する前記ＧＰＵの前記ローカルメモリに格納し、
ディスプレイに結合された表示プロセッサを用いてかつ前記システムバスを使用せずに、前記静止画像の前記空間解像度が低下されたバージョンを前記ローカルメモリから取り出し、
前記表示プロセッサを用いて、前記静止画像の前記空間解像度が低下されたバージョンを再スケーリングして再スケーリングされた画像を生成し、
前記表示プロセッサを用いて、前記再スケーリングされた画像を提示のために前記ディスプレイに出力し、及び
前記表示プロセッサを用いて、前記画像が前記非静止画像であると決定されたときに前記ディスプレイ上での提示のために前記システムバスを介して前記システムメモリの前記一部分から前記非静止画像を取り出すことを１つ以上の処理ユニットに行わせる命令を備える、非一時的なコンピュータによって読み取り可能な記憶媒体。
【請求項２８】
前記ローカルメモリは、前記ＧＰＵのオンチップメモリを備える請求項２７に記載の非一時的なコンピュータによって読み取り可能な記憶媒体。
【請求項２９】
前記画像が前記非静止画像であると決定されたときに第１のリフレッシュレートで前記ディスプレイ上での提示のために前記システムバスを介して前記システムメモリの前記一部分から前記非静止画像を繰り返し取り出すための命令をさらに備え、
前記再スケーリングされた画像を出力するための前記命令は、前記第１のリフレッシュレートよりも低い第２のリフレッシュレートで前記再スケーリングされた画像を繰り返し出力するための命令を備える請求項２７に記載の非一時的なコンピュータによって読み取り可能な記憶媒体。
【請求項３０】
前記システムメモリの前記一部分に格納された前記画像が前記静止画像であるか又は前記非静止画像であるかを決定するための前記命令は、前記画像を格納する前記システムメモリの前記一部分が定義された時間内に新しいコンテンツを受け取らないときに前記画像は前記静止画像であると決定するための命令を備える請求項２７に記載の非一時的なコンピュータによって読み取り可能な記憶媒体。
【請求項３１】
アンビエント照明の変化、前記ＧＰＵと前記表示プロセッサとを含むデバイスの方位の変化、又は前記デバイスと他のデバイスとの間の接続の変化が存在するかどうかを決定するための命令をさらに備え、
前記画像が前記静止画像であると決定するための前記命令は、前記画像を格納する前記システムメモリの前記一部分が前記定義された時間で新しいコンテンツを受け取らないときで、前記定義された時間内に前記アンビエント照明、前記デバイスの前記方位、又は前記デバイスと前記他のデバイスとの間の前記接続の変化が存在しないときに前記画像は前記静止画像であると決定するための命令を備える請求項３０に記載の非一時的なコンピュータによって読み取り可能な記憶媒体。
【請求項３２】
前記再スケーリングされた画像を出力するときに前記ディスプレイの照度を低下させるための命令をさらに備える請求項２７に記載の非一時的なコンピュータによって読み取り可能な記憶媒体。
【請求項３３】
前記静止画像をスケーリングするための前記命令は、前記ＧＰＵのシェーダを用いて前記静止画像をスケーリングして前記静止画像の前記空間解像度が低下されたバージョンを生成するための命令を備える請求項２７に記載の非一時的なコンピュータによって読み取り可能な記憶媒体。
【請求項３４】
前記再スケーリングされた画像の明瞭度が、前記画像の明瞭度よりも低い、請求項２７に記載の非一時的なコンピュータによって読み取り可能な記憶媒体。